(57)【要約】      （修正有）【課題】携帯型の電子機器を収納したカバーを把持した手を不用意に広げても、電子機器を確実に保持することができ、また指挿入部の出し入れに手間がかからず、さらにはカバーに突起がなく収納時にスムーズな電子機器カバーを提供する。【解決手段】電子機器カバーの蓋部材の裏側に指挿入部２を設け、そして蓋部材を折り返した時に飛び出す指挿入部に電子機器カバーを持つ手の指を挿入して把持する。これにより不用意に手を広げても、電子機器カバーの指挿入部に指が挿入されているから、電子機器カバーが手から滑り落ちることはない。また蓋部材を閉じれば指挿入部は、収納されるので手間がかからない。さらには外表面に突起がないので電子機器カバーをポケット等に収納する際もスムーズに収納することができる。【選択図】図３
2017099807.tif 000002
【特許請求の範囲】
【請求項１】
表示部を備えた携帯型の電子機器を収納するカバー本体と、該カバー本体と一体化された蓋部材と、前記カバー本体に前記蓋部材を折り返した時に側方へ飛び出す指挿入部とを備えていることを特徴とする電子機器カバー。
【請求項２】
前記指挿入部は、蓋部材の内側に着脱可能に取り付けられている請求項１に記載の電子機器カバー。
【請求項３】
前記指挿入部は、前記蓋部材に嵌め込み式に起伏自在に連結されている請求項１または２に記載の電子機器カバー。
【発明の詳細な説明】
【技術分野】
【０００１】
本発明は、携帯型の電子機器、例えば、携帯電話、ノートパソコン、タブレット、スマートフォン、ゲーム機、電子辞書等の破損を防止するカバーに関する。
【背景技術】
【０００２】
近年、携帯型の電子機器が広く普及し、子供から高齢者まで幅広く使用している。このような電子機器を使用する際は、片手で本体を持ち、他方の手で表示部や操作ボタンを操作するが、ときには片手で本体を操作することもある。
【０００３】
そうしたとき、不注意で電子機器（携帯電話やスマートフォン等）を落としてしまうことがあるので、下記特許文献に記載の発明では、電子機器の背面に、あるいは、それを収納するケース本体の背面に、第二指から第五指の少なくとも複数の指を挿入できる指挿入部材を設けたものが開示されている。
【先行技術文献】
【特許文献】
【０００４】
【特許文献１】特開２０１３−２１５４６０号公報
【特許文献２】特開２００２−１９９０７０号公報
【特許文献３】US２０１１/００８４０８１A１
【発明の概要】
【発明が解決しようとする課題】
【０００５】
しかしながら、上記特許文献に記載の発明では、電子機器（携帯電話、スマートフォン等）の背面に取り付けられた指挿入部を使用する際に、指挿入部を指先でつまんで引き起こさなければ指を挿入することができず、面倒である。また、本体から取り外した指挿入部を使用時に取り付けるのも煩わしく、紛失してしまう可能性もある。さらには、指挿入部が電子機器の背面や収納ケース本体の背面から飛び出ているので、ポケットや鞄に収納する時に、飛び出した指挿入部が邪魔になるという問題がある。
【０００６】
本発明は、こうした問題を解決しようとするもので、カバーに収納された電子機器を把持する手を不用意に広げても電子機器が手から離れず、指挿入部も邪魔にならない電子機器カバーを提供することを課題とする。
【課題を解決するための手段】
【０００７】
上記課題を解決するために、本発明に係る電子機器カバーは、表示部を備えた携帯型の電子機器を収納するカバー本体と、該カバー本体と一体化された蓋部材と、前記カバー本体に前記蓋部材を折り返した時に側方へ飛び出す指挿入部とを備えていることを特徴とする。
【０００８】
ここで、カバー本体とは、電子機器を収納する部位を差し、蓋部材とは、カバー本体と一体となって電子機器の表示部を被せる部位を差す。また、カバーとは、カバー本体と蓋部材とを合わせた全体を指している。使用に際しては、前記蓋部材を開いて反対側に折り畳むと、指挿入部が側方に飛び出すから、飛び出した指挿入部に手の指を挿入して電子機器の収納されたカバーを把持する。
【０００９】
また、指挿入部は、蓋部材の内側に着脱可能に取り付けられていることを特徴とする。例えば、前記蓋部材の内側と前記指挿入部の連結部とに面ファスナーを取り付けて、指挿入部が蓋部材から取り外せるようにしておく。そして、電子機器が収納されたカバーを手に持つ時に、最も持ち易い位置に指挿入部が位置するように、指挿入部と蓋部材との取り付け位置を調整しておく。これにより、使用する人の手のサイズに応じて、最も使いやすい位置で指挿入部を位置決めすることができる。
【００１０】
また、指挿入部と蓋部材とは、固定されていても良いが、着脱自在に連結する場合は、前述の面ファスナーの他に、例えば、ボタンや磁石で連結するようにしても良い。ボタンや磁石を用いる場合に、蓋部材に指挿入部の取り付け箇所を複数箇所設けておけば、電子機器を把持する手や指の大きさに合わせて、最も使いやすい箇所に指挿入部を取り付けて使用することができる。
【００１１】
また、指挿入部や指挿入孔は、必要に応じて第一指から第五指までの何れか、あるいは、男性用、女性用、またその中の複数本の指が挿入できる形状としておくのが良い。また、指挿入部は、指を挿入する角度に応じて変形する柔軟な素材、例えば、合成皮革や合成ゴム等で形成しておく。
【００１２】
また、本発明に係る電子機器カバーでは、指挿入部が蓋部材自体にその裏面に設けられているので、蓋部材の外表面には、突起がない状態になる、したがって、電子機器を収納したカバーをポケット等に収納する際も、外表面に突起がないからスムーズに収納することができる。
【００１３】
また、前記指挿入部は、前記蓋部材に嵌め込み式に起伏自在に連結されていることを特徴とする。これにより、蓋部材を裏返しにすれば、指挿入部が蓋部材から飛び出すので、指挿入部を別途取り付ける必要がなくなる。
【発明の効果】
【００１４】
本発明によれば、電子機器を収納するカバーの蓋部材を折り返せば、指挿入部が飛び出すので、飛び出た指挿入部に指を挿入するだけで、電子機器を持った手から抜け落ちる心配はなくなる。また、指挿入部を収納する場合は、蓋部材を閉じれば、自然にカバー内に収納されるから、収納に手間がかからない。
【００１５】
また、電子機器カバーの蓋部材の裏面と指挿入部の連結部とに面ファスナーを貼り付けることによって、手や指の大きさにあわせて、指挿入部の取り付け位置を適宜に選択することができる。また、指挿入部を第一指だけでなく他の指も挿入できる形状に形成すれば、電子機器を安定させた状態で確実に保持することができる。
【００１６】
また、指挿入部を電子機器カバーの蓋部材自体や、その裏面に設けることによって、電子機器カバー本体や蓋部材の外表面を突起のない状態にすることができるから、電子機器が収納された電子機器カバーをポケットなどにスムーズに収納することができる。
【図面の簡単な説明】
【００１７】
【図１】本発明に係る電子機器カバーをスマートフォンカバーに適用し蓋部材を開いた状態の一実施形態の図面代用写真。
【図２】図１の蓋部材１を底面側に折り返して、指挿入部２が飛び出した（ぶら下がった）状態を示す。
【図３】図１の指挿入部に親指を挿入した使用例の図面代用写真。
【図４】図１の指挿入部に第３指を挿入した使用例の図面代用写真。
【図５】他の実施形態に係るスマートフォンカバーを開いた状態の図面代用写真。
【図６】図５の蓋部材１を底面側に折り返して、指挿入部２が飛び出した（ぶら下がった）状態を示す。
【図７】図５の指挿入部に第３指と第４指を挿入した使用例の図面代用写真。
【図８】他の実施形態に係るスマートフォンカバーに親指を挿入した使用例の図面代用写真。
【図９】スマートフォンカバーを手から放した状態の図面代用写真。
【図１０】指挿入部の種々の実施形態を示す図面代用写真。
【図１１】本発明に係る電子機器カバーをスマートフォンカバーに適用し、蓋部材を開いた状態の他の実施形態の図面代用写真。
【図１２】図１１の蓋部材を折り曲げて垂らした状態の図面代用写真。
【図１３】図１１の蓋部材を折り返して指挿入部が飛び出た状態の図面代用写真。
【発明を実施するための形態】
【００１８】
以下、本発明に係る電子機器カバーでスマートフォンを収納する場合の一実施形態を図１〜図９に基づいて説明する。なお、これらの図面代用写真では、カバー部分を示し、そこに収納される電子機器としてのスマートフォンは説明の便宜上取り外している。また、ここでの電子機器は、落下させると壊れる怖れのある表示部を備えた、例えば、スマートフォン、タブレット端末、電子辞書等の機器で、これらは周知であるため、ここには載せていない。
【００１９】
図１は、ブック型のスマートフォンカバーＣの表面カバー、すなわち、蓋部材１の裏面に指挿入部２を設けて開いた状態を示す。この指挿入部２は、柔軟な合成皮革製で形成したもので、この実施形態では、指挿入部２の端部は、カバー本体に固定してある。
【００２０】
図２は図１の蓋部材１を反対側に折り返して、指挿入部２を露出させた状態を示す。
【００２１】
図３は、図１の蓋部材１を反対側に折り返し、露出した指挿入部２に親指を挿入した状態を示す。
【００２２】
図４は、図１の蓋部材１を反対側に折り返し、露出した指挿入部２に第３指を挿入した状態を示す。
【００２３】
図５は、スマートフォンカバーCの蓋部材１に、他の実施形態である指挿入部２を設けて、蓋部材を開いた状態の一実施形態を示す。この実施形態の指挿入部２を使用するときは、図６に示すように、指挿入部２を蓋部材１から起こし、起こした指挿入部２に、図７に示すように、指を挿入した状態で電子機器を保持する。
【００２４】
図８は、スマートフォンカバーCの蓋部材１にデザインを施した別の指挿入部２を設けて、さらに蓋部材１を反対側に折り返して、指挿入部２に親指を挿入した状態を示す。
【００２５】
以上のように構成したことにより、図９に示すように、指挿入部２を親指に装着した状態で手を広げても、カバー全体が親指にぶら下がるから、スマートフォンを傷付けたり、その表示部を壊したりする恐れはない。
【００２６】
以上の実施形態では、指挿入部２連結部を蓋部材の裏面に固定しているが、これに代えて、面ファスナーで着脱自在に取り付けても良い。この場合において、面ファスナーを広い面積に取り付け、指挿入部２を使用する人の手のサイズに応じて、指挿入部２の取り付け位置を最適な場所に移動させれば、その人の手のサイズに合わせることができる。
【００２７】
また、面ファスナーの他に、マグネットシート、ホック等を使用しても良い。この場合には、指挿入部２が種々の場所に移動できるように、これらを複数箇所に取り付けて、使用する人の手のサイズに応じた位置に指挿入部２を取り付けて使用するように構成する。
【００２８】
また、指挿入部２は、親指だけでなく、他の指も挿入できるように、挿入孔を複数設けたり、図１０に示すように、指挿入部２の連結部にホックを取り付けたり、二本の指が挿入できるような指挿入部２を形成したりしても良い。さらに、指挿入部に種々のデザインを施しても良い。
【００２９】
さらに、以上の実施形態では、柔軟な合成皮革で指挿入部２を形成したが、これに代えて、柔軟な革製部材や合成樹脂や合成ゴム等で指挿入部２を形成しても良い。さらには、ハードな革製の電子機器カバーに、柔軟な革製部材で造った指挿入部２を取り付けても良い。そうすれば、高級な電子機器カバーを形成することができる。
【００３０】
また指挿入部２を蓋部材１に埋め込み式に起伏自在に連結してもよい、例えば図１１、図１２、図１３に示すように、指挿入部２がすっぽり嵌り込むようにカバーＣの蓋部材１に指挿入部２を形成し、蓋部材１を閉じたときは、その蓋部材１に指挿入部２が嵌りこみ、蓋部材１を開いて折り返せば、指挿入部２が飛び出すようにすれば、カバーＣの蓋部材１の裏面が平坦で薄くなり、ポケット等への収納が楽になる。なお、この場合には、指挿入部２の連結部は、蓋部材１と連結されている。
【符号の説明】
【００３１】
スマートフォンカバー      Ｃ
蓋部材                    １
指挿入部                  ２
【図１】
2017099807.tif 000003
【図２】
2017099807.tif 000004
【図３】
2017099807.tif 000005
【図４】
2017099807.tif 000006
【図５】
2017099807.tif 000007
【図６】
2017099807.tif 000008
【図７】
2017099807.tif 000009
【図８】
2017099807.tif 000010
【図９】
2017099807.tif 000011
【図１０】
2017099807.tif 000012
【図１１】
2017099807.tif 000013
【図１２】
2017099807.tif 000014
【図１３】
2017099807.tif 000015